(57)【要約】【課題】  まぶたに貼る前に二重まぶた用テープの接着力を弱めないようにした二重まぶた用テープと、剥がす必要のない二重まぶた用テープが台紙から離れることを防止できる二重まぶた用テープの保持体とを提供するものである。【解決手段】  二重まぶた用テープは、基部３６の片面に接着剤１４を付した主テープ部３４の一端に、外面に接着剤を備えない取っ手３２を切断し易い状態で接続する。また、多数の二重まぶた用テープ３０を備えた保持体４０は、主テープ部３４とその周辺部４４ａを接着剤１４で台紙１８に貼り付け、取っ手３２とその周剰部４４ｂを台紙１８に接着しないようにする。【選択図】図１
2005334108.tif 000002
【特許請求の範囲】
【請求項１】
まぶたに貼るものであって基部の片面に接着剤を備えた主テープ部と、その主テープ部と分離し易い状態で接続するものであって外面に接着剤を備えない取っ手とから成ることを特徴とする二重まぶた用テープ。
【請求項２】
前記取っ手が接着剤を中心にその両面を非接着性の部材で構成したことを特徴とする請求項１記載の二重まぶた用テープ。
【請求項３】
基部の片面に接着剤を備えた主テープ部とその主テープ部と分離し易い状態で接続するものであって外面に接着剤を備えない取っ手とから成る二重まぶた用テープを含むシート部材と、そのシート部材を前記主テープ部の前記接着剤で貼り付ける台紙とから成る保持体であって、前記シート部材のうち前記主テープ部とその主テープ部の周辺部を前記基部の片面に接着剤を備えたものであって前記接着剤で前記台紙に接着する第一領域とし、前記シート部材のうち前記取っ手とその取っ手の周辺部を外面に接着剤を備えないもので前記台紙に接着しない第二領域としたことを特徴とする二重まぶた用テープの保持体。
【請求項４】
前記取っ手が接着剤を中心にその両面を非接着性の部材で構成したことを特徴とする請求項３記載の二重まぶた用テープの保持体。
【発明の詳細な説明】
【技術分野】
【０００１】
本発明は、まぶたの上に貼ることでまぶたを二重まぶたにするための二重まぶた用テープ及びその保持体に関する。
【背景技術】
【０００２】
日本人の大半の人のまぶたは一重まぶたである。一般には、二重まぶたの方が可愛く見えると言われているため、一重まぶたを二重まぶたに一時的に保つようにした二重まぶた用テープとその保持体が、特許文献１に提供されている。ここで従来既知の二重まぶた用テープ及びその保持体を図５及び図６に基づいて説明する。図５及び図６に示すように、二重まぶた用テープ１０は、流線形で透明で非接着性の素材の基部１２とその片面に接着される接着剤１４との２層から成るものである。二重まぶた用テープ１０を多数備える保持体１６は、接着剤１４が容易に剥がれる面を有する台紙（セパレータ）１８と、その台紙１８と同じ大きでその台紙１８の上に接着されるシート部材２０とから成る。このシート部材２０の内部に、切り抜いて形成される多数の二重まぶた用テープ１０を含んでいる。即ち、シート部材２０は、多数の二重まぶた用テープ１０と、多数の二重まぶた用テープ１０以外の余剰部２２とから成る。余剰部２２は透明の基部１２と同じ素材である基部２４とその片面に接着される接着剤１４とから成るものである。
【０００３】
保持体１６から二重まぶた用テープ１０を剥がす場合には、図７に示すように、二重まぶた用テープ１０の長手方向に対して直角方向に縦断する折り曲げ線２６（一点鎖線）の位置で保持体１６を折り曲げる。これによって、二重まぶた用テープ１０の一端は台紙１８から浮き上がって台紙１８から離れる。この台紙１８から離れた箇所の二重まぶた用テープ１０をピンセットや毛抜きや指等の摘み手段２８で摘み、二重まぶた用テープ１０を台紙１８から引き離す。その後、図８に示すように、二重まぶた用テープ１０を睫毛の位置より３ミリ程度離した位置のまぶたに貼り付ける。この二重まぶた用テープ１０をまぶたに貼ることで、一重のまぶたは自然な二重まぶたとなる。この二重まぶた用テープ１０は透明であるので、その上から化粧をすることができる。
【０００４】
【特許文献１】特開２００２−１７７３１６
【発明の開示】
【発明が解決しようとする課題】
【０００５】
図７に示すように、保持体１６から二重まぶた用テープ１０を剥がす際には、二重まぶた用テープ１０の一端を摘み手段２８で摘む。このため、二重まぶた用テープ１０の接着材１４のうち摘み手段２８が接触した箇所の接着力は、まぶたに接着する際に弱くなる。特に、摘み手段２８が指の場合には、指に付いている油が二重まぶた用テープ１０の接着剤１４の接着力を弱める。この結果、二重まぶた用テープ１０をまぶたに貼り付けた後に、摘み手段２８で摘んだ箇所から二重まぶた用テープ１０が剥がれるおそれがあった。
【０００６】
従来の保持体１６では、保持体１６から二重まぶた用テープ１０を取出す場合に、図７に示すように、折り曲げ線２６の位置で保持体１６を折り曲げて、二重まぶた用テープ１０の一端を台紙１８から浮かび上がらせている。保持体１６を折り曲げ線２６位置で折り曲げた場合に、図７に示すように、折り曲げ線２６に位置する全ての二重まぶた用テープ１０の一端が台紙１８から浮かび上がる。このため、必要でない二重まぶた用テープ１０の接着剤１４が摘み手段２８に触れて、その触れた箇所の接着剤１４の接着力が弱まったり、あるいは必要でない二重まぶた用テープ１０が摘み手段２８に接着して、台紙１８から剥がれてしまうという不具合があった。更に、二重まぶた用テープ１０は台紙１８に接着しているので、二重まぶた用テープ１０の一端を台紙１８から上手に浮かび上がらせるのに、手間取ってしまうという不具合があった。
【０００７】
本発明は上記の点に鑑みてなされたもので、まぶたに貼る前に二重まぶた用テープの接着力を弱めることがないようにした二重まぶた用テープを提供することを目的とするものである。
【０００８】
本発明はまた、剥がす必要のない二重まぶた用テープが台紙から離れることを防止できる二重まぶた用テープの保持体を提供することを目的とするものである。
【課題を解決するための手段】
【０００９】
本発明に係る二重まぶた用テープは、まぶたに貼るものであって基部の片面に接着剤を備えた主テープ部と、その主テープ部と分離し易い状態で接続するものであって外面に接着剤を備えない取っ手とから成るものである。本発明は、前記取っ手が接着剤を中心にその両面を非接着性の部材で構成したものである。
【００１０】
本発明に係る二重まぶた用テープの保持体は、基部の片面に接着剤を備えた主テープ部とその主テープ部と分離し易い状態で接続するものであって外面に接着剤を備えない取っ手とから成る二重まぶた用テープを含むシート部材と、そのシート部材を前記主テープ部の前記接着剤で貼り付ける台紙とから成る保持体であって、前記シート部材のうち前記主テープ部とその主テープ部の周辺部を前記基部の片面に接着剤を備えたものであって前記接着剤で前記台紙に接着する第一領域とし、前記シート部材のうち前記取っ手とその取っ手の周辺部を外面に接着剤を備えないもので前記台紙に接着しない第二領域としたものである。本発明は、前記取っ手が接着剤を中心にその両面を非接着性の部材で構成したものである。
【発明の効果】
【００１１】
本発明の二重まぶた用テープは、まぶたに貼り付けるための主テープ部とそれから容易に分離できる取っ手とを接続させたものであり、取っ手を摘み手段で摘むことで、主テープ部の接着剤がまぶた以外に触れないようにするものである。これによって、本発明のテープ部が従来のものと比べて、まぶたから離れにくくすることができる。
【００１２】
本発明に係る二重まぶた用テープの保持体では、シート部材のうち、主テープ部とその周辺部とを台紙に接着し、取っ手とその周辺部とを台紙に接着しないようにする。これによって、取っ手が台紙やシート部材の残部から浮き上がり易くなり、取っ手が摘み易い。更に、取っ手の外面に接着剤が存在しないので、使用しない二重まぶた用テープが不用意に剥がれることを無くすことができる。
【発明を実施するための最良の形態】
【００１３】
次に本発明を図面に基づいて説明する。
図１は本発明に係る二重まぶた用テープとその保持体を示す正面図、図２は図１のＡ−Ａ線断面図である。本発明において図５及び図６と同一符号は同一部材を示す。本発明に係る二重まぶた用テープ３０は、取っ手３２と主テープ部３４とを接続したものである。主テープ部３４は、図５及び図６に示した従来の二重まぶた用テープ１０と同一形状及び同一構造のものである。即ち、主テープ部３４は、流線形で透明で非接着性の素材の基部１２とその片面に取付けた接着剤１４との２層から成るものである。主テープ部３４と接続される取っ手３２は、主テープ部３４の一端から外側に伸びるようにして設けられるもので、基部３６と、その片面に取付けた接着剤１４と、その接着剤１４に接着した非接着性の素材の覆い部材３８とから成るものである。即ち、取っ手３２には接着箇所がないように構成されている。取っ手３２と主テープ部３４との接続箇所は、取っ手３２を持って台紙１８から主テープ部３４を離す程度では、切断されないように設定してある。しかし、人が取っ手３２と主テープ部３４とを分断しようとする力を加えることで、取っ手３２と主テープ部３４との接続箇所が分断できるように設定されている。
【００１４】
図１乃至図３に示すように、保持体４０は、台紙１８と、その台紙１８と同じ大きでその台紙１８の上に接着されるシート部材４２とから成る。シート部材４２はその内部に、切り抜いた状態の多数の二重まぶた用テープ３０を含んでいる。即ち、シート部材４２は、多数の二重まぶた用テープ３０と、多数の二重まぶた用テープ３０以外の余剰部（周辺部）４４ａ，４４ｂとから成る。このシート部材４２は、図１に示す２つの区画線４６（一点鎖線）で３つの領域にその構造が分けられている。２つの区画線４６は、二重まぶた用テープ３０における取っ手３２と主テープ部３４との接続箇所とする。シート部材４２の３つの領域は、２つの区画線４６に囲まれる１個の第一領域４２ａと、各区画線４６と外縁とで囲まれる２個の第二領域４２ｂとから成る。
【００１５】
第一領域４２ａは主テープ部３４とその周辺部４４ａとから成り、第二領域４２ｂは取っ手３２とその周辺部４４ｂとから成る。即ち、二重まぶた用テープ３０のうち、主テープ部３４は第一領域４２ａに含まれ、二重まぶた用テープ３０のうちの取っ手３２は第二領域４２ｂに含まれる。第一領域４２ａの周辺部４４ａは、主テープ部３２と同様に、基部１２と接着剤１４との２層から成る。第二領域４２ｂの周辺部４４ｂは、取っ手３２と同様に、基部３６（基部１２と同じ素材）と接着剤１４とその接着剤１４に接着する非接着性の素材の覆い部材３８との３層から成るものである。
【００１６】
なお、取っ手３２と周辺部４４ｂとを含む第二領域４２ｂは、基部３６と接着剤１４と覆い部材３８との３層から構成して非接着性のものとしたが、非接着性の素材の基部３６だけの１層としても良い。しかし、第二領域４２ｂが２層の第一領域４２ａから延長したものであることから、接着剤１４を取付けた基部３６に覆い部材３８を接触させて３層とした方が、非接着性の基部３６だけの１層とするよりも、製造が簡単で製造コストが安く、しかも取っ手３２の厚みが増して持ち易くなる。なお、取っ手３２の上に、厚みを増すためと印刷を施すために、更なる層の部材を取り付けるようにしても良い。
【００１７】
次に、二重まぶた用テープ３０を多数備えた保持体４０から１個の二重まぶた用テープ３０を取出す場合について説明する。図２に示すように、本発明の保持体４０においては、シート部材４２における二重まぶた用テープ３０の取っ手３２を含む第二領域４２ｂは、台紙１８に接着されていない。このため、区画線４６の位置で周辺部４４ｂと台紙１８とを台紙１８側に折り曲げることで、多数の取っ手３２が台紙１８から浮き上がる（図２）。この浮き上がった取っ手３２のうち１個を指で摘み上げることで、主テープ部３４（二重まぶた用テープ３０）を台紙１８から剥がすことができる（図３）。
【００１８】
台紙１８から引き離した二重まぶた用テープ３０は、その後、取っ手３２を持った状態で、主テープ部３４を睫毛の位置より３ミリ程度離した位置のまぶたに貼り付ける。まぶたに主テープ部３４を貼り付けた後、取っ手３２と主テープ部３４との接続箇所を手で切断する。これによって、取っ手３２が主テープ部３４から離れ（図４）、主テープ部３４のみがまぶたに貼り付けられる。このように、本発明に係る二重まぶた用テープ３０では、まぶたに貼り付けられる主テープ部３４の接着剤１４には摘み手段２８が接触することはない。よって、本発明の主テープ部３４は従来のものと比べて、まぶたから離れにくいものとなる。
【００１９】
本発明に係る二重まぶた用テープの保持体４０では、取っ手３２の外面に接着剤は存在しない。このため、多数の取っ手３２が台紙１８から浮き上がった際に、使用しない取っ手３２に摘み手段２８が触れても、使用しない二重まぶた用テープ３０が台紙１８から剥がれることが無い。また、取っ手３２が台紙１８に接着してないので、保持体４０を折り曲げただけで、必要とする二重まぶた用テープ３０の取っ手３２を容易に摘むことができる。
【図面の簡単な説明】
【００２０】
【図１】本発明に係る二重まぶた用テープとその保持体を示す正面図である。
【図２】図１のＡ−Ａ線断面図である。
【図３】図２の状態から本発明に係る二重まぶた用テープを離した状態を示す断面図である。
【図４】本発明に係る二重まぶた用テープを２つに分割した状態を示す正面図である。
【図５】従来既知の二重まぶた用テープ及びその保持体を示す正面図である。
【図６】図５のＢ−Ｂ線断面図である。
【図７】従来既知の二重まぶた用テープを保持体から剥がす状態を示す斜視図である。
【図８】二重まぶた用テープを顔に貼る状態を示す斜視図である。
【符号の説明】
【００２１】
１２  基部
１４  接着剤
１８  台紙
３０  二重まぶた用テープ
３２  取っ手
３４  主テープ部
３６  基部
３８  覆い部材
４０  保持体
４２  シート部材
４２ａ  第一領域
４２ｂ  第二領域
４４ａ  周辺部
４４ｂ  周辺部
【図１】
2005334108.tif 000003
【図２】
2005334108.tif 000004
【図３】
2005334108.tif 000005
【図４】
2005334108.tif 000006
【図５】
2005334108.tif 000007
【図６】
2005334108.tif 000008
【図７】
2005334108.tif 000009
【図８】
2005334108.tif 000010